(57)【特許請求の範囲】
【請求項１】
分離不能な封止管連結部を作製するための押圧継手用の押圧スリーブであって、
−  継手本体（６）を受容しかつ押圧セクション（８）が取り付けられた受容セクション（４）を有し、
−  前記継手本体（６）が円筒状であり、
−  前記受容セクション（４）の内径が前記継手本体（６）の外径に適合され、
−  前記押圧セクション（８）の内径が、少なくとも各区分において、前記継手本体（６）の前記外径よりも小さくなるように設計される、
押圧継手用の押圧スリーブにおいて、
−  径方向（Ｒ）の内側に弾力的かつ弾性的に締め付けできる少なくとも１つの保持突起（１０）が、前記受容セクション（４）に設けられること、および
−  前記保持突起（１０）は、前記保持突起（１０）が締め付けられていない状態にあるときに径方向（Ｒ）において前記受容セクション（４）の内部に少なくとも部分的に突出する自由端セクション（１２）を有し、
押圧工程中に前記継手本体（６）の周囲部（３２）が、前記押圧セクション（８）に当接して塑性変形すること、
を特徴とする、押圧スリーブ。
【請求項２】
前記押圧スリーブ（２）は成形によって、具体的には、深絞りによって作製されることを特徴とする、請求項１に記載の押圧スリーブ。
【請求項３】
前記保持突起（１０）は、前記押圧スリーブの側方内面（１４）と側方外面（１６）との間に設けられる径方向開口部（１８）を通して解放されることを特徴とする、請求項１または２に記載の押圧スリーブ。
【請求項４】
前記押圧スリーブ（２）は、前記受容セクション（４）の領域に、前記継手本体（６）を挿入するために設けられる対面側（２０）を有すること、および前記保持突起（１０）は、前記対面側（２０）から離反する方向において傾斜することを特徴とする、請求項１〜３の何れか一項に記載の押圧スリーブ。
【請求項５】
前記対面側（２０）を向く前記保持突起（１０）のガイド表面（２２）が、前記押圧スリーブ（２）の中心軸（Ａ）に関して角度（α）だけ傾斜するように配置され、前記角度（α）は０°よりも大きく９０°よりも小さいことを特徴とする、請求項４に記載の押圧スリーブ。
【請求項６】
前記継手本体（６）上に当接するために設けられる押圧縁部（２４）が、前記少なくとも１つの保持突起（１０）の前記自由端セクション（１２）の領域に形成され、前記押圧縁部（２４）は具体的には縁部が鋭いことを特徴とする、請求項１〜５の何れか一項に記載の押圧スリーブ。
【請求項７】
前記受容セクション（４）は、軸方向に測定されるその長さに沿って本質的に一様の開口幅を有することを特徴とする、請求項１〜６の何れか一項に記載の押圧スリーブ。
【請求項８】
前記押圧セクション（８）は、前記対面側（２０）から離反する前記方向に延在し、前記受容セクション（４）に取り付けられ、前記押圧セクションの前記内径は、前記対面側（２０）から離反する前記方向において先細りすることを特徴とする、請求項４に記載の押圧スリーブ。
【請求項９】
前記対面側（２０）から離反する前記方向に延在する端部セクション（２６）が、前記押圧セクション（８）に取り付けられ、前記押圧スリーブ（２）は、前記端部セクション（２６）の領域において、具体的には、本質的に一様の開口幅を有することを特徴とする、請求項８に記載の押圧スリーブ。
【請求項１０】
前記受容セクション（４）は、前記対面側（２０）で円周フランジ（３６）に連なることを特徴とする、請求項４、８または９に記載の押圧スリーブ。
【請求項１１】
２以上の、特に、３以上の保持突起（１０）が設けられることを特徴とする、請求項１〜１０の何れか一項に記載の押圧スリーブ。
【請求項１２】
前記保持突起（１０）は、具体的には、互いに関して規則的な角度距離の位置に配置されることを特徴とする、請求項１１に記載の押圧スリーブ。
【請求項１３】
２以上の、特に、３以上の保持突起（１０）が設けられ、前記保持突起（１０）は、別々の要素として、具体的には、カッティングリング（３８）の形態で形成されることを特徴とする、請求項１または２に記載の押圧スリーブ。
【請求項１４】
−  連結される少なくとも１つの管端部（３０）を収容する継手本体（６）を有し、
−  請求項１〜１３の何れか一項に記載の押圧スリーブ（２）を有する、
分離不能な封止管連結部のための押圧継手。
【請求項１５】
暖房設備、空調設備、衛生設備、もしくは飲料水設備、または技術用流体もしくは医療用流体を運ぶ設備における、請求項１４に記載の押圧継手の使用。
【請求項１６】
暖房設備、空調設備、衛生設備、もしくは飲料水設備、または技術用流体もしくは医療用流体を運ぶ設備における、請求項１〜１３の何れか一項に記載の押圧スリーブの使用。
【発明の詳細な説明】
【技術分野】
【０００１】
本発明は、継手本体を受容しかつ押圧セクションを有する受容セクションを有し、受容セクションの内径が継手本体の外径に適合され、押圧セクションの内径が、少なくとも各区分において、継手本体の外径よりも小さくなるように設計される、分離不能な封止管連結部を作製するための押圧継手用の押圧スリーブに関する。本発明はさらに、本発明による押圧スリーブを有する押圧継手、および本発明による押圧スリーブまたは本発明による押圧継手の使用に関する。
【背景技術】
【０００２】
冒頭で言及したタイプの押圧スリーブは、通常、パイプラインシステムにおいて、継手本体と一緒に、金属封止の分離不能な形で管を互いに連結するために使用される。一般的な押圧スリーブが、例えば特許文献１から知られている。
【０００３】
特許文献１によれば、分離不能な金属封止管連結部を作製するために、まず、連結される管の管端部が継手本体の開口部に挿入され、そうすることで、継手本体が管端部を周方向に囲繞する。押圧スリーブが、押圧ツールによって、軸方向に継手本体に押し付けられる。ここで、「軸方向」とは、管端部の長手方向軸に沿って、したがって、管断面を横切るように、向きが定められる。押圧スリーブの側方内面の直径は、軸方向に測定される押圧スリーブの長さに関して先細りし、そうなると、押圧スリーブが軸方向に押されると、継手本体の周囲部または周辺領域がフランジ加工され、連結される管端部に押圧される。言い換えれば、継手本体の周囲部または周辺領域は、その直径が径方向に狭められる。したがって、押圧スリーブを軸方向に押すと、押圧スリーブ上に設けられた、好ましくは先細りする側方面によって、継手本体が径方向に変形する。「径方向」とは、連結される管端部の長手方向の延長部を横切り、軸方向を横切るように、向きが定められる。このように、継手本体および管端部は、塑性変形され、押圧スリーブを軸方向に押すことによって互いに押圧される。
【０００４】
特許文献１から知られる継手の場合、事前設置された押圧スリーブが、押圧が起こる前に継手本体から再び滑り落ちるということが場合によっては起こる恐れがある。さらに、状況によっては、曲げ負荷またはねじり負荷によって、押圧される連結部に漏出が起こる恐れがある。
【０００５】
この背景に対して、本発明は、上記に言及した欠点を有しないかまたは少なくともより小さい範囲にだけ有し、具体的には、頑強な封止管連結部を単純な費用対効果の大きい手法で作製できるようにする、押圧スリーブ、このような押圧スリーブを有する押圧継手、およびこのような押圧スリーブまたはこのような押圧継手の使用を明示するという技術的課題に基づく。
【先行技術文献】
【特許文献】
【０００６】
【特許文献１】国際公開第２０１４／０００８９７（Ａ１）号
【発明の概要】
【課題を解決するための手段】
【０００７】
この技術的課題は、本発明に従って、請求項１に記載の押圧スリーブによって、請求項１４に記載の、このような押圧スリーブを有する押圧継手によって、および請求項１５に記載の、押圧スリーブおよび押圧継手の使用によって解決される。
【０００８】
押圧スリーブは、径方向の内側に弾力的かつ弾性的に締め付けできる少なくとも１つの保持突起が、前記受容セクションに設けられることと、保持突起が、締め付けられていない状態にあるときに径方向において受容セクションの内部に少なくとも部分的に突出する自由端セクションを有することを特徴とする。
【０００９】
押圧スリーブは、保持突起によって、設置状態において軸方向に変位しないように確保される。押圧スリーブは、保持突起によって径方向に継手本体と共に締め付けられ、押圧スリーブが軸方向に緩むことを妨げる押圧スリーブと継手本体との間の摩擦が、径方向の締付け力によって増大する。それに加えてまたはその代わりに、設置状態では、軸方向に緩むことを妨げる押圧スリーブと継手本体との間の嵌合連結（独：formschluessige Verbindung，英：form-fit connection）がある。このような嵌合連結は、保持突起が径方向内側に転向した方向に継手本体の材料に貫入するか、または継手本体を弾性変形および／もしくは塑性変形することによって形成することができる。その代わりにまたはそれに加えて、このような嵌合連結は、保持突起が、継手本体の周囲上に形成される、細いチャネル、溝プロファイル、または同様のものなどの凹所と、具体的にはスナップ式連結の様式で係合することによって、形成することができる。保持突起と継手本体との間の嵌合連結は、保持突起の自由端セクションの領域に形成することができる。
【００１０】
事前設置状態にある継手本体が押圧スリーブの受容セクションに受容されるが事前設置状態にある継手本体の周囲部または周辺領域が未だフランジ加工されない、押圧スリーブの事前設置状態において、少なくとも１つの保持突起による継手本体上の押圧スリーブの軸方向の確保をすでに実施することができる。言い換えれば、受容セクションは、事前設置状態において、押圧される継手本体の周囲部または周辺領域を周囲上で受容することができ、押圧セクションは、軸方向において継手本体の周囲部または周辺領域に隣接するように配置される。
【００１１】
受容セクションの内部は、例えば、継手本体の外径に適合される本質的に筒状の開口部とすることができる。「適合される（独：Angepasst，英：Adapted）」とは、ここでは、それぞれの用途に関して押圧スリーブおよび継手本体の確実な（事前）設置を行うことを可能にする、適切なプレス嵌め、中間嵌め、またはすきま嵌めを受容セクションと継手本体との間に形成できることを意味する。継手本体は、本質的に、筒状のスリーブとすることができる。
【００１２】
好ましくは、押圧スリーブは成形によって、具体的には、深絞りによって作製することができる。その結果、保持突起は、成形によって作製された押圧スリーブが接合の起きた後に継手本体から滑り落ちるという冒頭に記載した傾向を打ち消すので、押圧スリーブを作製するために、費用対効果が大きく材料を節約する成形、具体的には、シートメタル成形に戻ることができる。押圧スリーブは、深絞りによって金属シートから一部片として作製することができる。
【００１３】
押圧セクションを強化または補強するために、受容セクションから離反する方を向く押圧セクションの周囲部または周辺領域を、外側にフランジ加工にすることができる。押圧セクションのフランジ加工された周囲部または周辺領域は、例えば、本質的に環状の円周カラーの形状をとることができる。
【００１４】
保持突起は、押圧スリーブの側方内面と側方外面との間に設けられる径方向開口部を通して解放することができる。開口部は、例えば、パンチング加工および／または機械加工によって作製することができる。保持突起を解放した後または開口部を作製した後に、保持突起の自由端セクションが受容セクションの内部と少なくとも部分的に係合するように、保持突起を径方向内側に曲げることができる。保持突起の材料の厚さまたは壁の厚さは、好ましくは、押圧スリーブの材料の厚さまたは壁の厚さに相当し、押圧スリーブおよび保持突起は、具体的には、１部片として形成される。保持突起は、押圧スリーブと一緒にまたは１枚の金属シートから押圧スリーブの一体の構成要素として、費用対効果の大きい手法で製造することができる。
【００１５】
一実施形態によれば、押圧スリーブは、受容セクションの領域に、継手本体を挿入するために設けられる対面側を有する。本実施形態によれば、保持突起は、対面側から離反する方向において傾斜する。言い換えれば、保持突起は、具体的には、継手本体を挿入するために設けられる対面側に対して斜めになるような設置様式で傾斜する。継手本体の挿入は、保持突起の向きによって簡単になる。具体的には、保持突起は、受容セクションの領域において対面側に設けることができる。対面側の保持突起は、金属シートまたはスリーブをパンチング加工および／または機械加工し、その後、押圧スリーブの受容セクションの対面側の周辺領域を深絞りおよび／またはフランジ加工することによって作製することができる。
【００１６】
具体的には、対面側を向く保持突起のガイド表面が、押圧スリーブの中心軸に関してある角度だけ傾斜するように配置することができ、その角度は０°よりも大きく９０°よりも小さい。言い換えれば、ガイド表面は、押圧スリーブの中心軸に関して鋭角をなすように設定することができる。継手本体を挿入すると、ガイド表面は、押圧スリーブと継手本体との間の軸方向の相対的な動きを、継手本体に対する保持突起の締付けに変換するように働くことができる。ガイド表面は、好ましくは、継手本体の対面側に沿ってまたは対面側で継手本体の側方外面の境界を定める継手本体の周囲に沿って摺動し、その結果、継手本体によって周囲上で径方向外側に変位し、このように、継手本体に対して内側に弾力的かつ弾性的に締め付けられる。この作用は、押圧スリーブが継手本体上に事前設置されるときにも、その代わりにまたはそれに加えて、押圧スリーブ、継手本体、および連結される管を押圧するときにも実現することができる。
【００１７】
継手本体上に当接するために設けられる押圧縁部が、少なくとも１つの保持突起の自由端セクションの領域に形成され、押圧縁部は具体的には縁部が鋭い。用語「縁部が鋭い」とは、この場合は、９０°以下の角度をなす押圧縁部を意味する。角度が小さいほど押圧縁部の縁部は鋭い。設置状態において押圧スリーブの軸方向の変位を妨げる保持突起の締付け作用を、押圧縁部によって強化することができる。押圧縁部は、好ましくは、継手本体の材料に円周上で貫入するように形成される。保持突起は、押圧縁部によって、嵌合するように継手本体の材料をつめでつかむことができる。押圧縁部を備える保持突起の自由端セクションは、嵌合するようにして、押圧スリーブの事前設置状態および／または設置状態にある押圧スリーブと継手本体との間の軸方向の変位を妨げることができる。
【００１８】
特に、保持突起が、押圧スリーブを挿入するために設けられる押圧スリーブの対面側から離反する方向に延在する場合は、押圧縁部を備える保持突起は、有刺フックまたはつめの様式で押圧スリーブが継手本体から軸方向に滑り落ちることを防止することができる。一方で、押圧スリーブは、軸に沿って設置方向または押圧方向において継手本体に押し付けることができ、他方で、その後、設置方向の反対に押圧スリーブを取り外すことは、保持突起によって妨害または阻止され、そうすることで、継手本体からの押圧スリーブの取外しは、それを破壊せずには可能ではない。
【００１９】
押圧スリーブの受容セクションは、軸方向に測定されるその長さに沿って本質的に一様の開口幅を有することができる。本明細書では、「本質的に一様の開口幅」とは、受容セクションの開口幅が、少なくとも各区分において、径方向内側に延在する１つまたは複数の保持突起の領域で局部的に狭められることを意味する。受容セクションは、押圧スリーブを用いて押圧される継手本体を事前設置しかつ案内するように働き、設置工程または押圧工程を単純化することができる。
【００２０】
あるいは、受容セクションの内側の輪郭は、軸に沿った長手方向のセクションで、少なくとも各区分において、円錐形にかつ／または湾曲するようにかつ／または線形になるように先細りするように設計することもできる。この内側の輪郭は、少なくとも各区分において、少なくとも１つの保持突起が割り込むことができる。少なくとも１つの保持突起は、具体的には受容セクションの内側の輪郭から始まって少なくとも各区分において径方向内側に転向する方向に延在することができる。
【００２１】
少なくとも１つの保持突起は、具体的には、少なくとも各区分において締め付けられていない状態にある保持突起が受容セクションの内法幅を画定するように設計することができる。少なくとも１つの保持突起は、受容セクションおよび／または１つもしくは複数の他の保持突起の側方内面を用いて開口部の範囲を定めることができ、その開口部の直径または内法幅は継手本体の外径よりも小さい。押圧スリーブは、押圧スリーブが継手本体に押し付けられるときに、保持突起の自由端セクションが継手本体の側方外面によって径方向外側に変位し、このように、継手本体に対して締め付けられるように設計することができる。保持突起の締付けは、追加の作製工程を必要とせずに、押圧スリーブが軸方向に継手本体に押し付けられると自動的に起きることが可能である。このように、例えば特許文献１から知られる押圧ツールを用いて、押圧スリーブを接合し締め付けることができる。
【００２２】
対面側から離反する方向に延在する押圧セクションを受容セクションに取り付けることができ、押圧セクションの内径は、対面側から離反する方向において先細りする。受容セクションおよび押圧セクションは、具体的には、それらの内側の輪郭は、具体的には不連続にならずに、すなわち、例えば、接線方向に連続的にまたは曲率が連続的に、互いに直接的に連なることができる。継手本体が事前設置された後には、押圧スリーブは、軸方向に継手本体に直接的に押し付けることができる。このように、単純な手法で、具体的にはできるだけ滑らかな押圧工程を起こすことができる。
【００２３】
対面側から離反する方向に延在する端部セクションを押圧セクションに取り付けることができ、押圧スリーブは、具体的には、端部セクションの領域において、本質的に一様の開口幅を有する。押圧スリーブと継手本体との間に形成される接触面または押圧面は、継手本体への押圧スリーブの軸方向の固定をさらに改善するために、端部領域によって増大することができる。代替の実施形態では、端部セクションは、押圧セクションを補強するように外向きにフランジ加工され、例えば、具体的には、本質的に円周カラーの形状をとることができる。
【００２４】
受容セクションは対面側で円周フランジに連なることができる。このように、押圧スリーブは、継手本体の挿入をより簡単にするために、例えば、この対面側の領域に漏斗のように形成することができる。フランジから始まる保持突起は、少なくとも各区分において、径方向内側に転向する方向に延在することができる。
【００２５】
押圧スリーブの一実施形態によれば、少なくとも２つの、特に、少なくとも３つの保持突起を設けることができる。このように軸方向の確保が強化される。
【００２６】
保持突起は、互いに関して規則的な角度距離の位置に配置することができる。そうすることで、押圧スリーブを継手本体に押し付けるときに、保持突起によって行われる本質的に対称的な案内によって押圧スリーブが傾くことが防止される。
【００２７】
保持突起は、具体的には、別々の要素として形成される。その結果、保持突起は、押圧スリーブの残りの部分、具体的には押圧セクションとは異なる材料から製造することができる。保持突起の機能は、材料の適切な選択によってさらに最適化することができ、例えば、特に弾性の材料を用いることができる。押圧縁部が保持突起上に設けられる場合は、特に硬質の材料を用いることもできる。保持突起を別個に作製し、その後押圧スリーブに挿入することもできるので、保持突起を別々の要素として形成することも押圧スリーブの作製を単純化する。具体的には、押圧スリーブの作製を単純化するために、保持突起は、別個のカッティングリングの形態で設けることができる。保持突起を有するこのようなカッティングリングは、押圧スリーブの溝に嵌合するように挿入することができる。
【００２８】
本発明はさらに、連結される少なくとも１つの管を収容する継手本体を有し、本発明による押圧スリーブを有する、分離不能な封止管連結部のための押圧継手に関する。継手本体は、本質的に回転対称、具体的には、例えば、スリーブまたは管セクションのような筒状の構成要素とすることができる。少なくとも１つの保持突起は、本質的に滑らかな、具体的には、溝および／または凹所のない、継手本体の側方外面上での、具体的には押圧スリーブの軸方向の保持を改善する。その代わりにまたはそれに加えて、継手本体の周囲上に形成される、細いチャネル、溝プロファイル、または同様のものなど、１つまたは複数の凹所を設けることができ、保持突起は具体的にはスナップ連結するようにその凹所と係合する。
【００２９】
押圧継手および押圧スリーブは、例えば、円形の断面を有する管を連結するために設けられる。
【００３０】
押圧スリーブおよび／または継手本体は、例えば、鋼材料、具体的には、高級鋼材料、または銅材料、具体的には、真ちゅう、またはアルミニウム材料から形成することができる。好ましくは、押圧スリーブの材料は、継手本体の材料よりも高い硬度を有することができる。その結果、このことは、保持突起の自由端セクションが継手本体の材料に貫入することを助け、したがって、押圧スリーブを継手本体に軸方向に固定することを助ける。
【００３１】
本発明は、暖房設備、空調設備、衛生設備、もしくは飲料水設備、または技術用流体もしくは医療用流体を運ぶ設備における、請求項１〜１４の何れか一項に記載の押圧スリーブまたは押圧継手の使用にも関する。したがって、例えば、単純かつ確実な手法で押圧スリーブまたは押圧継手を使用することによって、上記で言及した用途の領域で２つの管端部間の金属封止連結部を作製することができる。
【図面の簡単な説明】
【００３２】
本発明は、例示的な実施形態によって以下により詳細に説明される。
【００３３】
【図１】第１の実施形態に係る押圧スリーブを斜視図に示す。
【図２】継手本体上で事前設置状態にある図１による２つの押圧スリーブを示す。
【図３】継手本体上で設置状態にある図１による２つの押圧スリーブを、２つの管端部と共に示す。
【図４】第２の実施形態に係る押圧スリーブを斜視図に示す。
【図５】継手本体上で事前設置状態にある図４による２つの押圧スリーブを示す。
【図６】継手本体上で設置状態にある図４による２つの押圧スリーブを、２つの管端部と共に示す。
【図７】第３の実施形態に係る押圧スリーブを斜視図に示す。
【図８】継手本体上で事前設置状態にある図７による２つの押圧スリーブを示す。
【図９】継手本体上で設置状態にある図７による２つの押圧スリーブを、２つの管端部と共に示す。
【図１０】第４の実施形態に係る押圧スリーブを斜視図に示す。
【図１１】継手本体上で事前設置状態にある図１０による２つの押圧スリーブを示す。
【図１２】継手本体上で設置状態にある図１０による２つの押圧スリーブを、２つの管端部と共に示す。
【図１３】第５の実施形態に係る押圧スリーブを斜視図に示す。
【図１４】継手本体上で事前設置状態にある図１３による２つの押圧スリーブを示す。
【図１５】継手本体上で設置状態にある図１３による２つの押圧スリーブを、２つの管端部と共に示す。
【図１６】第６の実施形態に係る押圧スリーブを斜視図に示す。
【図１７】継手本体上で事前設置状態にある図１６による２つの押圧スリーブを示す。
【図１８】継手本体上で設置状態にある図１６による２つの押圧スリーブを、２つの管端部と共に示す。
【発明を実施するための形態】
【００３４】
図１は第１の実施形態に係る押圧スリーブ２を斜視図に示す。分離不能な封止管連結部を作製するための押圧継手用の押圧スリーブ２は、径方向に押圧される継手本体６を受容する受容セクション４を有する（図２参照）。押圧スリーブ２は押圧セクション８を有し、押圧セクション８は、継手本体６を径方向に狭めるように設計され、軸Ａに沿って見ると先細りする。受容セクション４の内径は継手本体６の外径に適合される。押圧セクション８の内径は、少なくとも各区分において、継手本体６の外径よりも小さい。
【００３５】
押圧スリーブ２は、継手本体６に対して径方向に弾力的かつ弾性的に締め付けできる保持突起１０を３つ有する。保持突起１０はそれぞれ、自由端セクション１２を有する。保持突起１０の締め付けられていない状態（図１）では、それぞれの自由端セクション１２は、径方向Ｒにおいて受容セクション４の内部に少なくとも部分的に突出する。
【００３６】
押圧スリーブ２は深絞りによって金属シートから作製される。保持突起１０は、押圧スリーブ２の側方内面１４と側方外面１６との間に設けられる径方向開口部１８を通して解放される。開口部１８はパンチング加工によって作製される。保持突起１０は、パンチング加工が起きた後に径方向Ｒの内側に曲げられ、そうすることで、締め付けられていない状態（図１）にある保持突起１０のそれぞれの自由端セクション１２は、受容セクション４の内部に少なくとも部分的に突出する。
【００３７】
押圧スリーブ２は、継手本体６を挿入するために設けられる対面側２０を有する。保持突起１０は、対面側２０から離反する方向において傾斜する。対面側２０を向くそれぞれの保持突起１０のガイド表面２２が、軸Ａに関して鋭角αだけ傾斜する（図２参照）。
【００３８】
保持突起１０は、その自由端セクション１２の領域に、矩形の、すなわち、縁部が鋭い、押圧縁部２４を有し、継手本体６上に当接するために設けられる。
【００３９】
押圧スリーブ２の受容セクション４は、継手本体６を挿入するために設けられる対面側２０に割り当てられる。受容セクション４は、軸方向に測定されるその長さに沿って本質的に一様の開口幅を有する。対面側２０から離反する方向に延在する押圧セクション８は、受容セクション４に取り付けられる。押圧セクション８は、対面側２０から離反する方向において先細りする。対面側２０から離反する方向に延在する端部セクション２６が、押圧セクション８に取り付けられ、押圧スリーブ２は本質的に一様の開口幅を有する。保持突起１０は受容セクション４に設けられる。保持突起１０は、互いに関して規則的な角度距離の位置に配置される。
【００４０】
図２は、図１による２つの押圧スリーブ２と、押圧スリーブ２によって押圧される事前設置状態にある継手本体６を示す。押圧スリーブ２および継手本体６は、２つの管端部３０を連結するための押圧継手２８を形成する（図３参照）。管端部３０はそれぞれ、継手本体６に挿入することができる。管端部３０は、継手本体６の周囲部３２をフランジ加工することによって、継手本体６と共に押圧される。そのために、押圧スリーブ２は、図２に示す事前設置位置から開始して、軸Ａに沿って軸方向に継手本体６に押し付けられる。
【００４１】
図３は、設置済みの押圧状態にある押圧継手２８を管端部３０と共に示す。管端部３０は、継手本体６の側方内面の領域に設けられる停止具３４の位置まで、それぞれ継手本体６に挿入される。押圧スリーブ２と継手本体６と管端部３０とが各場合に相互作用する状態を拡大図から特定することができる。
【００４２】
押圧継手２８がそれぞれの管端部３０と共に押圧されるときには、押圧スリーブ２は軸方向に継手本体６に押し付けられる。本明細書には示さず、例えば特許文献１から知られている、押圧ツールが、このために使用される。軸方向の移動の間に、継手本体６の周辺領域または周囲部３２は押圧スリーブ２の押圧セクション８に沿って摺動して、直径が狭められる。継手本体６の周辺領域または周囲部３２は、径方向内側に転向した方向にフランジ加工される。言い換えれば、押圧スリーブ２は母型を形成し、継手本体６の周辺領域または周囲部３２が押圧工程中に押圧スリーブ２の先細りする押圧セクション８にしっかりと当接し、そうすることで、継手本体６の周辺領域または周囲部３２が押圧セクション８の内側の輪郭に沿って摺動し、したがって、塑性変形される。押圧スリーブ２の形状は、本質的に、変わらないままである。
【００４３】
保持突起１０は、それらの押圧縁部２４によって継手本体６の材料と係合し、それぞれの押圧スリーブ２が継手本体６から軸方向に滑り落ちることを防止する。押圧スリーブ２の材料は継手本体６の材料よりも硬質である。押圧スリーブ２が軸方向に継手本体６に押し付けられた後には、保持突起１０が継手本体６において自由端セクション１２によってしっかりと把持するので、それぞれの押圧スリーブ２はもはや、それを破壊せずに継手本体６から取り外すことができない。
【００４４】
押圧スリーブの他の例示的な実施形態を以下に記載し、上記の例示的な実施形態と比較して、本質的に同じ作用を有する構成要素または構造上の特徴部には同一の参照符号を割り当てる。
【００４５】
図４は、押圧スリーブ２の第２の例示的な実施形態を斜視図に示す。図４に示す押圧スリーブ２は、図１に記載の例示的な実施形態とは、端部セクションが省略されている点だけが異なる。
【００４６】
図５は、図４による２つの押圧スリーブ２および事前設置状態にある継手本体６を示す。第１の例示的な実施形態と同様に、保持突起１０はすでに、押圧スリーブ２が設置方向または接合方向の反対に継手本体６から軸方向に引き抜かれることも滑り落ちることもないように、押圧スリーブ２を事前設置状態に確保する。
【００４７】
図６は、継手本体６上で設置状態にある図４による２つの押圧スリーブ２を、２つの管端部３０と共に示す。ここでも、押圧スリーブ２と継手本体６と管端部３０との相互作用を細部から理解することができる。
【００４８】
図７は、押圧スリーブ２の第３の例示的な実施形態を斜視図に示し、図１に記載の例示的な実施形態とは、端部セクションが省略されている点と、受容セクション４が対面側で円周フランジ３６に連なる点とで異なる。保持突起１０はフランジ３６の領域に配置される。保持突起１０は、前述の例示的な実施形態と比べて、軸Ａに関して本質的により急な角度αに設定される。このように、軸方向における押圧スリーブ２の特に細い設計が得られる。
【００４９】
図８は、図７による２つの押圧スリーブ２および事前設置状態にある継手本体６を示す。前述の例示的な実施形態と同様に、保持突起１０はすでに、押圧スリーブ２が設置方向または接合方向の反対に継手本体６から軸方向に引き抜かれることも滑り落ちることもないように、押圧スリーブ２を事前設置状態に確保する。
【００５０】
図９は、継手本体６上で設置状態にある図７による２つの押圧スリーブ２を、２つの管端部３０と共に示す。押圧スリーブ２と継手本体６と管端部３０との相互作用を細部から理解することができる。
【００５１】
図１０は、押圧スリーブ２の第４の例示的な実施形態を斜視図に示す。図１０に示す押圧スリーブ２は、保持突起１０が受容セクション４の対面側に直接的に設けられることを特徴とする。受容セクションの周囲も押圧セクションの周囲も、円形にまたは湾曲するようにフランジ加工される。このように、押圧スリーブ２は、押圧工程中の径方向の拡幅に対して強化または補強される。
【００５２】
図１１は、図１０による２つの押圧スリーブ２および事前設置状態にある継手本体６を示す。前述の例示的な実施形態と同様に、保持突起１０はすでに、押圧スリーブ２が設置方向または接合方向の反対に継手本体６から軸方向に引き抜かれることも滑り落ちることもないように、押圧スリーブ２を事前設置状態に確保する。
【００５３】
図１２は、継手本体６上で設置状態にある図１０による２つの押圧スリーブ２を、２つの管端部３０と共に示す。押圧スリーブ２と継手本体６と管端部３０との相互作用を細部から理解することができる。
【００５４】
図１３は、押圧スリーブ２の第５の例示的な実施形態を斜視図に示す。本明細書では、保持突起１０は受容セクション４の対面側に直接的に設けられ、保持突起１０は押圧スリーブ２の全周にわたって延在する。そのために、受容セクション４の周囲は、９０°を超えて内側に湾曲するようにフランジ加工される。押圧スリーブ２はさらに、図１０から図１２に示す例示的な実施形態とは反対に、具体的には押圧セクション８を強化するために、壁厚の異なる構成要素から形成される。
【００５５】
図１４は、図１３による２つの押圧スリーブ２および事前設置状態にある継手本体６を示す。保持突起１０は、設置方向または接合方向の反対に継手本体６から押圧スリーブ２が軸方向に引き抜かれることも滑り落ちることもないように、押圧スリーブ２を事前設置状態に確保する。
【００５６】
図１５は、継手本体６上で設置状態にある図１３による２つの押圧スリーブ２を、２つの管端部３０と共に示す。押圧スリーブ２と継手本体６と管端部３０との相互作用を細部から理解することができる。
【００５７】
図１６は、押圧スリーブ２の第６の例示的な実施形態を斜視図に示す。本明細書では、保持突起１０は、押圧スリーブ２の本体とは別個のカッティングリング３８の要素として形成される。複数の保持突起１０が、押圧スリーブの周囲に沿ってカッティングリング３８によって設けられる。カッティングリング３８および保持突起１０は、押圧スリーブの残りの部分とは異なる材料から製造することができる。
【００５８】
図１７は、図１６による２つの押圧スリーブ２および事前設置状態にある継手本体６を示す。カッティングリング３８はその上に配置された保持突起と共に、受容セクション４の溝４０に保持される。保持突起１０は、押圧スリーブ２を継手本体６上で事前設置状態に確保する。
【００５９】
図１８は、継手本体６上で設置状態にある図１６による２つの押圧スリーブ２を、２つの管端部３０と共に示す。押圧スリーブ２と継手本体６と管端部３０との相互作用を細部から理解することができる。
【図１】
0006475857.tif 000002
【図２】
0006475857.tif 000003
【図３】
0006475857.tif 000004
【図４】
0006475857.tif 000005
【図５】
0006475857.tif 000006
【図６】
0006475857.tif 000007
【図７】
0006475857.tif 000008
【図８】
0006475857.tif 000009
【図９】
0006475857.tif 000010
【図１０】
0006475857.tif 000011
【図１１】
0006475857.tif 000012
【図１２】
0006475857.tif 000013
【図１３】
0006475857.tif 000014
【図１４】
0006475857.tif 000015
【図１５】
0006475857.tif 000016
【図１６】
0006475857.tif 000017
【図１７】
0006475857.tif 000018
【図１８】
0006475857.tif 000019